(57)【特許請求の範囲】
【請求項１】
プラスチック製の養生シートによって養生された負圧施工区画と、
前記負圧施工区画内の空気を吸引し、この空気中に含まれるアスベスト粉塵を除去して外部に排気する排気集塵装置と、
前記負圧施工区画内の空気を冷却する冷却装置と、
前記負圧施工区画内に給気する外気給気装置と、を備え、
前記冷却装置は、冷却した空気を前記負圧施工区画内へ送る空調用の流路と、その負圧施工区画内の空気を室外に排出するフィルターを備えた排気用の流路とからなる独立した二つの流路構造を有し、さらに冷媒の循環による冷却部と放熱部を備え、前記冷却部は空気を前記負圧施工区画内へ送る空調用の流路内に設置し、且つ前記放熱部は前記負圧施工区画内の空気を排出する排気用の流路内に設置し、前記冷却部によって負圧施工区画内へ送る空気を冷却させ、前記放熱部が負圧施工区画内から排出する空気によって冷却されるようになっており、
その放熱部を冷却した前記負圧施工区画内からの空気を濾過する前記フィルターは、アスベスト粉塵が除去される機能を有し、前記負圧施工区画内のアスベスト粉塵が除去された空気が、外部に排気されるようになっており、
前記負圧施工区画内の負圧状態を破壊しないように前記換気集塵装置、前記外気給気装置、前記冷却装置における、それぞれの給排気量を選択して制御することを特徴とする負圧施工区画空調装置。
【請求項２】
前記外気給気装置は水と接触させた外部の空気を負圧が維持された前記負圧施工区画内に給気することを特徴とする請求項１に記載の負圧施工区画空調装置。
【発明の詳細な説明】
【技術分野】
【０００１】
本発明は、アスベスト等を除去して廃棄物処理する際の負圧施工区画内の作業環境を改善するための負圧施工区画空調装置に関する。
【背景技術】
【０００２】
建築物の解体、建築物の内装材除去などを行う際に、発生するアスベスト等の粉塵が施工区域外に飛散することを防止するため、その施工区画をプラスチック製の養生シートによって覆って養生し、この施工区画内部を負圧に維持して施工区画外への粉塵の飛散を防止するようにした負圧施工区画が知られている（例えば特許文献１）。
【０００３】
【特許文献１】特開平９−２７９８６１号公報
【発明の開示】
【発明が解決しようとする課題】
【０００４】
このように、特許文献１の負圧施工区画での除去作業において、とくに夏場には、その内部温度が４０度から６０度に達する場合があり、熱中症を引き起こす原因ともなっていることや、作業の効率面でも著しく低下する問題を有しており、抜本的な対策が望まれている。
【０００５】
本発明の課題は、負圧施工区画内での作業環境を改善し、アスベスト処理の作業効率を向上させるようにした負圧施工区画空調装置を提供することにある。
【課題を解決するための手段及び発明の効果】
【０００６】
本発明の負圧施工区画空調装置は、プラスチック製の養生シートによって養生された負圧施工区画と、負圧施工区画内の空気を吸引し、この空気中に含まれるアスベスト粉塵を除去して外部に排気する排気集塵装置と、負圧施工区画内の空気を冷却する冷却装置と、負圧施工区画内に給気する外気給気装置と、を備え、
冷却装置は、冷却した空気を負圧施工区画内へ送る空調用の流路と、その負圧施工区画内の空気を室外に排出するフィルターを備えた排気用の流路とからなる独立した二つの流路構造を有し、さらに冷媒の循環による冷却部と放熱部を備え、冷却部は空気を負圧施工区画内へ送る空調用の流路内に設置し、且つ放熱部は負圧施工区画内の空気を排出する排気用の流路内に設置し、冷却部によって負圧施工区画内へ送る空気を冷却させ、放熱部が負圧施工区画内から排出する空気によって冷却されるようになっており、
その放熱部を冷却した負圧施工区画内からの空気を濾過するフィルターは、アスベスト粉塵が除去される機能を有し、負圧施工区画内のアスベスト粉塵が除去された空気が、外部に排気されるようになっており、
負圧施工区画内の負圧状態を破壊しないように換気集塵装置、外気給気装置、冷却装置における、それぞれの給排気量を選択して制御することを特徴とする。
【０００７】
上記のように構成したことにより、負圧施工区画内を負圧状態にできるため、アスベスト除去によって発生するアスベスト粉塵の外部への飛散を防止できる。また、負圧施工区画内の室温を冷却装置によって下げることができるため、とくに夏場での作業環境が改善される。これによって作業者が健康を損なうことなく、アスベスト処理の作業効率を良好となる。
【０００８】
また、負圧施工区画空調装置には、排気集塵装置によって空気が排気されて負圧となった負圧施工区画内に給気する外気給気装置を設け、この外気給気装置は水と接触させた外部の空気を負圧が維持された負圧施工区画内に給気するようになっているので、この外気給気装置によって外部から給気される空気の温度を下げて供給できるため、冷却装置の冷房能力負荷を低減できる。
また、外気給気装置によって負圧施工区画内へ給気する空気に湿気を与えられるため、負圧施工区画内の湿度管理が行え、養生シートの静電気の発生を抑制し、養生シートへのアスベスト粉塵の付着量を低減したり、空気中を浮遊するアスベスト粉塵の量を低減させてアスベスト処理の作業効率（最終的な養生シートの撤去を含む）の向上を図ることができる。
【０００９】
また、冷却装置は冷媒の循環による冷却部と放熱部を備え、冷却部は空気を負圧施工区画内へ送る空調用の流路内に設置し、且つ放熱部は負圧施工区画内の空気を排出する排気用の流路内に設置し、冷却部によって負圧施工区画内へ送る空気を冷却させ、放熱部が負圧施工区画内から排出する空気によって冷却されるようになっており、その放熱部を冷却した負圧施工区画内からの空気を濾過するフィルターは、アスベスト粉塵が除去される機能を有し、負圧施工区画内のアスベスト粉塵が除去された空気が、外部に排気されるので、仮に排気集塵装置による負圧機能の低下若しくは停止が生じたとしても、冷却装置の放熱部を冷却して外部へ排気される空気により負圧施工区画内の負圧破壊を防止でき、さらに、負圧施工区画内の負圧状態を破壊しないように換気集塵装置、外気給気装置、冷却装置における、それぞれの給排気量を選択して制御をさせている。これによってアスベスト粉塵の外部への飛散防止の信頼性が維持確保される。
【発明を実施するための最良の形態】
【００１０】
以下、本発明の実施の形態を図面に示す実施例を参照して説明する。図１は、本発明に係る負圧施工区画空調装置を示す平面模式図である。図１において、負圧施工区画空調装置１は、建築物２のアスベストを含む吹付材などの除去を行う際に、発生するアスベスト粉塵が施工区域外に飛散することを防止するため、その施工区域を養生シート３で覆って養生した負圧施工区画４を有している。この負圧施工区画４には、その区画内部を外部に対して負圧状態にする換気集塵装置２０と、外部の空気を給気する外気給気装置３０と、区画内部を冷房する冷却装置４０とが設けられる。なお、負圧施工区画４には、この区画内への作業者の出入りのためのセキュリティゾーン５０が附設される。このセキュリティゾーン５０はアスベスト粉塵が負圧施工区画４から外部へ漏洩することを防止するために設けられる。
【００１１】
負圧施工区画４を養生する養生シート３は、プラスチックとしてのポリエチレンテレフタレート（ＰＥＴ樹脂）によってシート状に成形されている。この養生シート３を床面、壁面などを覆うようにして張って養生する。また、養生シート３の厚みとして、本例ではアスベスト処理のために規制されているように、床面に使用する場合においては、厚さ０．１５ｍｍ以上のものが複層（２重）で使用され、また、壁面に施工する場合においては、厚さ０．０８ｍｍ以上のものが単層で使用される。
【００１２】
換気集塵装置２０は、負圧施工区画４の外部に配置している。この換気集塵装置２０は換気集塵装置本体２１を備え、換気集塵装置本体２１には、換気ＨＥＰＡフィルター２２と、換気モータ２３によって作動する換気ファン２４が内装される。そして、負圧施工区画４内のアスベスト粉塵を含む空気を換気ファン２４で吸い込むことにより、アスベスト粉塵を換気ＨＥＰＡフィルター２２によって捕捉・集塵している。これによって清浄化した空気を外部に排気するようにして、負圧施工区画４内の気圧を外部に対して負圧状態とするように維持管理している。
この換気ＨＥＰＡフィルター２２は、ＨＥＰＡフィルター（High  Efficiency  Particulate  Air  Filter）から構成され、ＨＥＰＡフィルターにおける微粒子の捕集は、「濾遇(ふるい効果)」、「慣性(衝突)」、「さえぎり(静電吸着)」、「拡散(ブラウン運動)」の原理を応用しており、最も捕りにくいとされる０．３ミクロンの粒子を９９．９７％以上捕集できるものである。
【００１３】
この換気集塵装置２０における換気ＨＥＰＡフィルター２２を配置する吸引側には、負圧施工区画４内のアスベスト粉塵を含んだ空気を均等に吸引するために、複数の吸引口２５を有する吸引配管２６が配設される。この負圧状態は図示しない差圧計で常時計測管理する。本例では、換気集塵装置２０を時間当り複数回間欠作動させて、−６から−８Ｐａの負圧状態としている。
【００１４】
外気給気装置３０は、負圧施工区画４の外部に配置されている。この外気給気装置３０は外気給気装置本体３１を備え、外気給気装置本体３１には、スクラバー部３２と、給気モータ３３によって作動する給気ファン３４が内装される。そして、外部の空気を給気ファン３４で吸い込んでスクラバー部３２を通過させることにより負圧施工区画４内に給気している。この給気側には、複数の給気口３５を有する給気配管３６が接続される。その給気配管３６は、負圧施工区画４内に配置される。
【００１５】
スクラバー部３２は、図２に示すように、外部の空気を負圧施工区画４内に流入させるために設けられた給気流路３７中に配置される。スクラバー部３２は給気流路３７を流れる空気に加圧水を接触させるようにスプレーするスプレー部３２ａを備えている。スプレー部３２ａは、外気給気装置本体３１内の下部に設けられる溜水部３２ｂと、この溜水部３２ｂ内の循環水をスプレーヘッド３２ｄに送給するためのポンプ３２ｃとで構成される。
【００１６】
そして、スプレーヘッド３２ｄからスプレーされる循環水が給気流路３７を通過する空気に接触することにより、空気中の埃、塵が循環水によって除去される。また、同時に、通過する空気は循環水との接触によって冷却されるとともに、湿気が与えられる。
【００１７】
なお、この種の接触形式としは、溜水中に空気をくぐらせることにより接触させる方式、プラスチック・磁器などの充てん物に、噴霧した水の水膜に空気を接触させる方式、水を回転体で分散させて空気を接触させる方式でも可能である。なお、溜水部３２ｂ内に、図示しないがペットボトル内に入れた水を凍らせた状態の冷却体を投入して循環水を冷やすことにより、循環水と接触する空気をさらに冷却することもできる。
【００１８】
図１に戻り、冷却装置４０は、負圧施工区画４内に配置されている。この冷却装置４０は冷却装置本体４１を備え、負圧施工区画４内の空気からアスベスト粉塵を除去するための集塵部４２と、負圧施工区画４内の空気を冷却するための空調部４３が設けられる。
【００１９】
集塵部４２と空調部４３は、図３に示すように、それぞれ独立した空気の流路としての集塵流路４０ａと空調流路４０ｂ中に設けられる。
【００２０】
集塵部４２は、集塵流路４０ａの下流側にファンモータ４２ａによって作動するファン４２ｂと、アスベスト粉塵を捕捉・集塵するＨＥＰＡフィルター４２ｃを備えている。ファン４２ｂによって負圧施工区画４の空気を吸引し、ＨＥＰＡフィルター４２ｃを通過するときにアスベスト粉塵を除去する。その後、噴出側から清浄化した空気を外部に排気するようにしている。
【００２１】
空調部４３は、図３に示すように、集塵流路４０ａと空調流路４０ｂと連繋して配置される。空調部４３はエアコン４４を備えている。このエアコン４４は冷媒を圧縮して高温高圧状態で圧送するコンプレッサー４４ａを有している。このコンプレッサー４４ａには、放熱部としてのコンデンサー４４ｂや、冷却部としてのエバポレーター４４ｃが接続される。
【００２２】
コンデンサー４４ｂは集塵流路４０ａ中に配置される。このコンデンサー４４ｂでは、放熱側駆動モータ４４ｄによって作動するコンデンサーファン４４ｅから送られる空気でコンデンサー４４ｂが冷やされ、このコンデンサー４４ｂ内部を流れる媒体が冷却されて液化される。
【００２３】
エバポレーター４４ｃは空調流路４０ｂ中に配置される。エバポレーター４４ｃでは、コンデンサー４４ｂによって冷却・液化された液媒体が膨張弁(図示せず)を介してエバポレーター４４ｃ内に噴射されて一気に気化する。この気化した冷媒によってエバポレーター４４ｃが冷やされる。このエバポレーター４４ｃに、冷却駆動モータ４４ｆによって作動するエバポレーターファン４４ｇから送られる空気が接触する。これにより冷やされて冷風となって、負圧施工区画４内に給気されることにより、負圧施工区画４内の室温を下げることができる。
【００２４】
このエアコン４４におけるコンデンサー４４ｂ、エバポレーター４４ｃを通過する空気は、負圧施工区画４内でのアスベスト粉塵を含んだ空気であるが、冷却装置本体４１の吸引側に設けられるプレフィルター４５で、そのアスベスト粉塵が捕捉されるように一次浄化されて供給されるため、コンデンサー４４ｂ、エバポレーター４４ｃ自体への汚れの付着を低減させている。さらに、一次浄化された空気は、集塵部４２のＨＥＰＡフィルター４２ｃを通過するときに、プレフィルター４５で捕捉しきれなかったアスベスト粉塵をさらに捕捉・集塵して除去できるため、負圧施工区画４外への飛散を確実に防止できる。
【００２５】
負圧施工区画空調装置１（図１参照）における外気給気装置３０と冷却装置４０は図示しないインバータによって制御される。このインバータによる制御において、外気給気装置３０の場合には給気ファン３４による外部空気の給気量と、ポンプ３２ｃ（図２参照）による循環水の供給量を調整するように制御可能である。また冷却装置４０の場合には、コンプレッサー４４ａ（図３参照）、放熱側駆動モータ４４ｄ、冷却側駆動モータ４４ｆの回転数などを制御して冷却装置４０としての冷房能力を調整するように制御可能である。なお、負圧施工区画４内の負圧状態を破壊しないように換気集塵装置２０（図１参照）、外気給気装置３０、冷却装置４０における、それぞれの給排気量を選択した制御をさせている。
【図面の簡単な説明】
【００２６】
【図１】本発明に係る負圧施工区画空調装置を示す平面模式図。
【図２】外気給気装置の模式図。
【図３】冷却装置の模式図。
【符号の説明】
【００２７】
１          負圧施工区画空調装置
３          養生シート
４          負圧施工区画
２０        換気集塵装置
３０        外気給気装置
４０        冷却装置
４４ａ      コンプレッサー
４４ｂ      コンデンサー（放熱部）
４４ｃ      エバポレーター（冷却部）
【図１】
0004416809.tif 000002
【図２】
0004416809.tif 000003
【図３】
0004416809.tif 000004